(57)【要約】【課題】皮脂、水分、肌色などを変化させることなくメイクを除去して、メイクの影響を排除した皮膚診断を実行でき、メイクを施した顧客に対しても、メイクを施していない顧客に対しても、同じ手順で正確な皮膚診断を行って、誰にでも皮膚診断を気軽に受けさせて正確な診断結果を提供する。【解決手段】水のみを浸透させた不織布で顔面の特定位置を１回摩擦し、摩擦位置の乾燥を待ってこの摩擦位置で皮膚診断を行う。水を浸透させた不織布を保持し、この不織布を皮膚に接触させて皮膚面に沿って機械的に移動させるメイク拭き取り装置を使用し、布織布の摩擦面は顔面の曲面に倣って移動してほぼ一定の圧力で拭取りを行う。【選択図】  図１
2004267689.tif 000002
【特許請求の範囲】
【請求項１】
水のみを浸透させた不織布で顔面の特定位置を１回摩擦してメイク拭取りを行った後に、摩擦位置の乾燥を待ってこの摩擦位置で皮膚のパラメータ測定を行うことを特徴とする皮膚診断方法。
【請求項２】
水を浸透させた不織布を保持し、この不織布を皮膚に接触させて皮膚面に沿って機械的に移動させるメイク拭き取り装置。
【請求項３】
摩擦面の不織布を着脱交換可能な移動部材と、
ばね力で移動部材を支持して、摩擦面に作用する圧力に応じて移動部材の高さを変化させる圧力調整手段と、
移動部材を摩擦方向に駆動して、摩擦面を皮膚に沿って移動させる駆動手段とを有することを特徴とするメイク拭取り装置。
【請求項４】
移動部材は、不織布を表面に固定したペレットを着脱可能に支持することを特徴とする請求項３のメイク拭取り装置。
【請求項５】
移動部材を駆動するモーターのスイッチは、装置全体を片手で保持した際の指位置に対応させて配置され、これにより拭取りを片手操作可能としたことを特徴とする請求項３のメイク拭取り装置。
【発明の詳細な説明】
【０００１】
【発明の属する技術分野】
本発明は、顔面の特定位置に各種センサを接触させるなどして皮膚のパラメータを測定する皮膚診断方法、およびこの方法に使用されるメイク拭き取り装置に関する。
【０００２】
【従来の技術】
水分センサ、皮脂センサ、肌色センサなどを顔面の特定位置に適用させて皮膚診断を行うシステムが特許第３２１２２９５号に提案されている。また、特開平５−２７９２２６号、特開平１１−３２２５７９号公報、特開２００２−１５４９２７号公報には、水を含む液体を浸漬させた綿布や不織布で顔面の皮膚を摩擦してメイク等を除去することが提案されている。
【０００３】
【発明が解決しようとする課題】
化粧品の選定や皮膚疾患の治療のために顔面の皮膚診断を行う場合、顔面に付着したメイク層や化粧品類が正しい測定を妨げる場合がある。例えば、カメラで皮膚表面を撮影して肌色を判定しようとする場合、地肌とは異なる色調のファンデーションやメイクが施されていると、当然、診断結果は実際の肌色とは異なる値となる。また、皮膚に鏡面やすりガラスを押し付けて皮脂採取する場合、皮膚に塗布された下地クリームや乳液の成分が鏡面やすりガラスに付着すると、実際とは異なる皮脂量が測定されてしまう。
しかし、診断の直前に石鹸で洗顔を行うと、測定されるべき皮脂までが除去されたり、洗顔時の水分が皮膚水分量の誤差となったりする。また、アルコールや界面活性剤を含む液体で皮膚を拭き取ると、メイクと一緒に皮脂が除去されて、やはり皮脂量を正確に測定できない。
従って、このような皮膚診断を行う際には、予め数時間前に洗顔するなどして、実際の診断測定時にはメイクや化粧品が皮膚面に残っていないようにしておく必要があった。一方、従来のメイク落とし材は、不織布や脱脂綿に含ませた水分にアルコール、界面活性剤、保湿成分などを添加しており、メイクと一緒に皮脂を落としたり、皮脂センサのすりガラスに付着して皮脂と混同するような成分を皮膚面に残してしまう。
本発明は、特別な準備をしていないメイクを施した顧客に対しても、また、メイクを施していない顧客に対しても、同じ手順で正確な皮膚診断を行えるようにした皮膚診断方法、およびこの方法に使用されるメイク拭取り装置を提供することを目的としている。
【０００４】
【課題を解決するための手段】
本発明の皮膚診断方法は、水のみを浸透させた不織布で顔面の特定位置を１回摩擦し、摩擦位置の乾燥を待ってこの摩擦位置で皮膚診断を行う方法である。
【０００５】
【作用】
本発明の皮膚診断方法では、水を含ませた不織布が皮膚面を摩擦する際に、不織布の繊維がメイクを付着させて皮膚から機械的にこそげ取る。このとき、ファンデーションは下地クリームに付着混合された状態で一緒に繊維に付着し、乳液等の水溶性成分は水に溶解して不織布側へ移動する。一方、メイクの下に滲み出してメイクを浮かせている皮脂は水にはじかれて不織布に付着しない。従って、乾燥後の摩擦面は、ファンデーションや下地クリームのメイク層が除かれて皮脂が残った状態となる。
【０００６】
【発明の実施の形態】
図１は第１実施例のメイク拭取り装置の平面図、図２はメイク拭取り装置の側面図、図３はメイク拭取り装置の使用方法の説明図、図４はガラス板でのメイク拭取り実験の説明図、図５はモニタ被験者でのメイク拭取り実験の説明図、図６は素顔皮脂量とメイク拭取り後皮脂量の関係の説明図である。
図１、図２に示すように、第１実施例のメイク拭取り装置１０は、移動部材１２に枠１３を被せて両者の間に不織布１１を挟んで固定している。移動部材１２はアングル板１８に固定され、アングル板１８はスライドベアリング１４で支持されて左右方向へ移動可能である。
【０００７】
スライドベアリング１４はベース板１６に直接固定され、ベース板１６は四隅のバネ２１によって高さ方向に移動可能である。ベース板１６に固定されたアングル板１７にギアモーター２２が固定され、ギアモーター２２の出力軸に固定された平歯車２０が移動部材１２に固定されたラック歯車１９に噛み合っている。
従って、ギアモーター２２を駆動して平歯車２０を右回転させると、ベース板１６に対してアングル板１８および移動部材１２が右方向、すなわち図１の矢印方向に破線位置まで移動する。その後、平歯車２０を逆に回転させると移動部材１２が左方向へ移動して元の位置へ復帰する。
ギアモーター２２は、拭取り装置１０に内蔵された図示しない二次電池からスイッチ１５を介して電力供給され、スイッチ１５を右へ倒すと移動部材１２が右側へ移動し、左側へ倒すと左側へ移動するように配線されている。
また、移動部材１２は、不織布１１を露出させた摩擦面に作用する圧力に応じてバネ２１が伸縮することにより、高さ方向へベース板１６とともに浮き沈みする。
【０００８】
メイク拭取り装置１０は、全体の長さが約１５ｃｍ、摩擦面の大きさが３ｃｍ角に構成され、図３の（１）に示すように、メイク拭取り装置１０の全体を片手で支持した状態で、スイッチ１５を同じ手の中指（または親指）で押し引き操作して使用される。
拭取り装置１０は、移動部材１２をストロークの中央へ移動させて枠１３を上方向へ抜き取り、使用済みの不織布１１を取り除いて新しい不織布を移動部材１２の上に置き、さらに枠１３を元のように被せることにより、不織布１１が交換、固定される。枠１３から移動部材１２に押し出されて上面に露出した不織布１１の面が摩擦面となり、ここへスポイトで０．７ｍｌの水を落として摩擦面全体に浸透させる。
続いて、図１に示すように移動部材１２をスイッチ１５の側へ一杯に移動させた状態で、メイク拭取り装置１０を図３の（１）に示すように片手で支持して、摩擦面を顔面の測定部位（例えばほお）に押し付ける。この状態からスイッチ１５を送り方向へ押してギアモーター２２を駆動し、移動部材１２を反対側の一杯位置まで機械的に移動させると、摩擦面の水を含んだ不織布１２が測定部位の表面を摩擦してメイクを拭取る。
【０００９】
その後、拭取り時に付着した水が乾くのを待って、図３の（２）に示すように、お肌診断装置の測定ヘッド３５を測定部位に押し当てて、角質層の水分量と皮膚表面の皮脂量を測定する。と同時に、測定ヘッドに内蔵したＴＶカメラで１０ｍｍ角の表皮画像を撮影し、撮影画像を図示しないパソコンに取り込んで肌色、きめ、しわ、毛穴状態などを判定する。
ここで、角質層の水分量は、コンデンサの電極を皮膚に接触させて静電容量を測定して判定される。また、皮膚表面の皮脂量は、５ｍｍ角のすりガラス片を皮膚に押し当てて皮脂を付着させ、付着前後の光の透過量を測定してその比から判定される。すなわち、皮膚表面の皮脂量が多いほど付着する皮脂量が増えてすりガラス片の光透過量が増加し、逆に皮脂量が少ないほど皮膚接触後のすりガラス片の光透過量が減少する。
【００１０】
しかし、メイクを施した皮膚にすりガラス片を接触させた場合、すりガラス片に不透明なファンデーションの粉が付着すると光透過量が減少して皮脂を少なく判定してしまい、逆に、透明な乳液成分や下地クリーム成分が付着すると光透過量が増加して皮脂を多く判定してしまう。ファンデーションや下地クリームの状態はメイクの仕上がりやメイク後の経過等で大きくばらつくから、メイクを施した皮膚ではすりガラス片を用いた皮脂判定は無意味である。また、ファンデーションによって撮影画像の色調が変化するから肌色判定も無意味だし、皮膚面の乳液成分は角質層の水分量の誤差要因となる。
従って、図３の（２）に示すような測定では、測定に先立ってメイクを除去する必要があるが、メイクと一緒に皮脂が除去されたり、水分測定の新たな誤差が生じたり、撮影画像の色調が変化したりするようでは、そのメイク除去方法は採用できない。
【００１１】
図４に示すように、すりガラス片３１、３２、３３に共通のメイクを施して、種々の液体による拭取り効果を比較した。すりガラス片３１、３２、３３は５０ｍｍ×１２０ｍｍのサイズで、すりガラス面Ａに日焼け防止ローションＢ、乳液Ｃ、下地クリームＤ、ファンデーションＥの順に重ねて３時間放置した。そして、メイク拭取り装置１０の摩擦面に種々の液体を浸透させて、すりガラス片３１、３２、３３のメイク面の拭取りを実行した。
その結果、水１００％で拭取ったすりガラス片３１では拭取り跡Ｆ１に皮脂Ｂの層が残ったが、アルコール水溶液ではすりガラス片３２を含めて皮脂Ｂの層が残らず、また、アルコール濃度を高めるとすりガラス片３３に見られるように、皮脂Ｂが除去されたすりガラス面にファンデーションの付着が目立つようになった。
この予備実験結果を踏まえて、次に、水１００％を用いてメイク拭取り装置１０によるモニタ被験者のメイク拭取り実験を行った。
【００１２】
図５に示すように、モニタ被験者は、洗顔から１８０分以上経過した素顔で図３の（２）に示すような第１回目の皮膚測定を行い、続いて図３の（１）に示すような水１００％による拭取りを行って拭取り位置で同じ皮膚測定を行った。さらに、石鹸類を用いた洗顔を行って皮膚測定を行った後に日焼け防止ローション、乳液、下地クリーム、ファンデーションの順に重ねるメイクを施してもらった。
そして、９０分および１８０分経過後にメイクの上から皮膚測定を行い、１８０分の皮膚測定後に水１００％によるメイク拭取りと拭取り位置での皮膚測定を行った。
この結果、素顔と最初の拭取り後の皮脂測定値はほぼ等しくなって、１００％水による拭取りでは皮脂が除去されないことが実証された。また、９０分および１８０分経過後の皮脂測定値は素顔の測定値と大きく異なってメイクが皮脂量測定の誤差となることが実証された。さらに、１００％水を用いたメイク拭取り後の皮脂測定値は素顔の測定値とほぼ一致して、１００％水とメイク拭取り装置１０の組み合わせによる拭取りによって皮膚表面の皮脂を残してメイクが拭取られること、言い換えれば、この組み合わせを用いればメイクを施した顧客でも正確に皮脂量を測定できることが実証された。
【００１３】
なお、角質層の水分量およびテレビ画像に基づく肌色の判定結果についても、メイク拭取り後の判定結果は素顔の場合と概ね一致していた。そして、メイク拭取り装置１０のバネ２１をロックして強い圧力で摩擦させたり、同じ位置を拭取る回数が増えたりすると、同じ水１００％とメイク拭取り装置１０の組み合わせでも皮脂量の測定値が少なくなること、拭取り後の未乾燥状態では水がすりガラス片に付着して皮脂量の測定値が大きくなることなどが判明した。
【００１４】
図６に示すように、水１００％とメイク拭取り装置１０の組み合わせを用いて、多数のモニタ被験者で素顔の皮脂量とメイク拭取り後の皮脂量を測定したところ、大多数のモニタ被験者について両者が概ね一致することが実証された。また、素顔の皮脂量が多い一部のモニタ被験者ではメイク拭取り後の皮脂量が頭打ちとなり、拭取りによって過剰な皮脂が持ち去られていることが判明した。
【００１５】
以上のように構成された第１実施例のメイク拭取り装置によれば、水１００％を浸漬した不織布をほぼ一定の圧力で皮膚に押し付け、顔面の凹凸に沿って摩擦してメイクを拭取るから、メイクを施した通常の女性客でも正確に皮脂測定、水分測定、および肌色判定を行うことができる。
また、全体を女性でも片手で支持できる大きさとし、その片手でスイッチ１５を操作できるようにしたから、初めての女性客でも、皮膚診断に先立つ拭取りを恐怖や違和感なく確実に行える。そして、スイッチ１５の操作方向と移動部１２の移動方向を一致させたから、操作を間違えない。
また、移動部１２を枠１３から突出させて、枠１３やケースが皮膚に接触しないようにしたから、不織布１２の交換だけで不特定多数の人が清潔に利用できる。不織布１２は枠１３を挿入してワンタッチに取り付け固定されるから、簡単な説明だけで初心者でも不織布を間違いなく交換でき、消耗部品（不織布）の費用も少なくて済む。そして、拭取りのストロークを上部の開口部長さ一杯に設定し、ベース板１６をばね２１で支持して摩擦圧力を自動調整させるから、不特定多数の初心者でもほぼ一定一様の拭取り効果を実現できる。
また、水１００％で拭取って薬品を使用しないから、拭取りによって皮膚が刺激されず、皮膚測定後も洗い流したり中和したりしないで放置すればよく、従って、安全手軽で皮膚測定スタッフの人件費も削減され、皮膚診断サービスを安価に提供できる。
【００１６】
図７は第２実施例のメイク拭取り装置の外観図、図８はその部分的な構造の説明図である。
図７に示すように、第２実施例のメイク拭取り装置４０は、全長が１３０ｍｍで第１実施例よりも一回り小さく、薄い外観に組立てられている。そして、不織布を直接張り替えるのではなく、不織布を取り付けた拭取りペレット４１をホルダー４２にセットして交換することとし、ペレット４１を取り付けたホルダー４２が開口４３を上下方向へ片道移動する。スイッチ４５はスライド式で、矢印の方向へスライドさせて操作され、スイッチ１５の操作方向と操作によってホルダー４２が移動する方向を一致させてある。
図８に示すように、拭取りペレット４１は、樹脂ブロック４１Ｂの表面に不織布４１Ａを巻き回して裏側で接着してある。樹脂ブロックの中央には鉄片４１Ｃが貼り付けてあり、ホルダー４２の中央に埋められた磁石４２Ａに付着する。ホルダー４２は一対の板ばね４４で移動ブロック４６に支持され、移動ブロック４６の中央に固定された雌ねじ４９が送りねじ４８に噛み合っている。スイッチ１５が操作されると、送りねじ４８は図示しない二次電池とモータによって駆動される。
【００１７】
以上のように構成された第２実施例のメイク拭取り装置は、第１実施例と同様、不織布４１Ａの表面へ一定量の水を落として表面全体へ浸透させ、顔面に接触させて測定ヘッドを接触させる部分を一回だけ片道摩擦してメイクを拭取る。そして、拭取り後は、拭取りペレット４１を捨てて、新しい拭取りペレット４１に交換する。
第２実施例のメイク拭取り装置によれば、全体を角の無い丸みを帯びた外観としたから、第１実施例の装置よりも持ちやすく、大きさも小さいから女性でも快適かつ確実に支持してばらつきの少ない拭取りが可能である。そして、スイッチ４５のスライド方向と拭取り方向を一致させたから、特に注意しなくても、操作時に拭取りをイメージした確実な支持が達成されて、摩擦の反動で手から転げ落ちたりしない。
また、ホルダーを一対の板ばね４４で支持して拭取りペレット４１が図８の矢印のように回転できるようにしたから、拭取りペレット４１が顔の曲面に倣って移動し、第１実施例の垂直な出入りに比べて偏りの無い一定圧力、一定摩擦面積の再現性の高い拭取りが可能である。
また、消耗部品を拭取りペレット４１として磁石４２Ａでホルダー４２へ着脱可能に保持させる構成としたから、不織布を張り替える手間と技術が不要となり、拭取りペレット４１を瞬時に交換して誰でも簡単に利用できる。
【００１８】
【発明の効果】
本発明によれば、皮脂、水分、肌色などを変化させることなくメイクを除去して、メイクの影響を排除した皮膚診断を実行でき、診断のための特別な準備をしていないメイクを施した顧客に対しても、また、メイクを施していない顧客に対しても、同じ手順で正確な皮膚診断を行える。従って、誰にでも皮膚診断を気軽に受けさせて正確な診断結果を提供できる。
そして、特殊な薬品、界面活性剤、溶剤などを一切使用しないで水のみを利用するから、拭取りによって皮膚が刺激されず、かぶれや荒れを引き起こすことがなく、診断後の皮膚を洗い流したり中和したりしないで放置すればよく、従って、安全手軽でスタッフの人件費も削減され、皮膚診断サービスを安価に提供できる。
【図面の簡単な説明】
【図１】第１実施例のメイク拭取り装置の平面図である。
【図２】メイク拭取り装置の側面図である。
【図３】メイク拭取り装置の使用方法の説明図である。
【図４】ガラス板を用いたメイク拭取り予備実験の説明図である。
【図５】モニタ被験者によるメイク拭取り実験の説明図である。
【図６】素顔皮脂量とメイク拭取り後皮脂量の関係の説明図である。
【図７】第２実施例のメイク拭取り装置の説明図である。
【図８】メイク拭取り装置の部分構造の説明図である。
【符号の説明】
１０、４０  メイク拭取り装置
１１  不織布
１２  移動部材
１３  枠
１４  スライドベアリング
１５、４５  スイッチ
１６  ベース板
１７、１８  アングル板
１９  ラック歯車
２０  平歯車
２１  バネ
２２  ギアモーター
３１、３２、３３  すりガラス板
３５  センサヘッド
４１  拭取りペレット
４１Ａ  不織布
４１Ｂ  樹脂ブロック
４１Ｃ  鉄片
４２  ホルダー
４２Ａ  磁石
４３  開口
４４  板バネ
４６  移動部材
４７  雌ねじ
４８  送りねじ
【図１】
2004267689.tif 000003
【図２】
2004267689.tif 000004
【図３】
2004267689.tif 000005
【図４】
2004267689.tif 000006
【図５】
2004267689.tif 000007
【図６】
2004267689.tif 000008
【図７】
2004267689.tif 000009
【図８】
2004267689.tif 000010